(57)【特許請求の範囲】
【請求項１】
前面に便器が取り付けられる前パネルを備えた便器ユニットにおける前記便器の上方にセンサーを配置するに際し、前記前パネルに固定されたベースに、センサーユニットに固設されたブラケットを取り付けて前記前パネルに前記センサーユニットを取り付ける構造であって、
前記ベースの左右両側には、前記ブラケットに設けられた係止部が挿入される切欠を有する側板が備えられ、
該側板における切欠の下部には、該切欠の上部よりも延びた前記係止部案内用の案内突部が形成されている
ことを特徴とする前パネルへのセンサーユニットの取付構造。
【請求項２】
前記係止部はネジ部材で構成されているとともに、
前記切欠は、後端が開放されて前側へ延びる挿入部と、該挿入部の前端側で下方に延びる収納部を有し、
前記収納部の上下寸法は前記ネジ部材の径寸法と略同一寸法に設定されている
ことを特徴とする請求項１に記載の前パネルへのセンサーユニットの取付構造。
【請求項３】
前記ベースには、前記センサーユニットとの間で押し潰されて該センサーユニットの送受信部の周囲を包囲できるスポンジが設けられている
ことを特徴とする請求項１または請求項２に記載の前パネルへのセンサーユニットの取付構造。
【発明の詳細な説明】
【技術分野】
【０００１】
本発明は、小便器ユニット等の前パネルへセンサーユニットを取り付ける構造に関するものである。
【背景技術】
【０００２】
この種のセンサーユニットの取付構造として、特許文献１に開示されているような構造がある。
特許文献１に開示されている構造では、左右両側の側板に切欠を形成したベースを前パネルに固定し、センサーユニットに取り付けたブラケットに設けられているネジ部材を、ベースの側板の切欠に挿入することで、ベースにブラケットを介してセンサーユニットを取り付けるものとしている。
【先行技術文献】
【特許文献】
【０００３】
【特許文献１】特開２００７−２７０５８８号公報
【発明の概要】
【発明が解決しようとする課題】
【０００４】
上記特許文献１に開示されている取付構造では、ベースの左右両側の側板に形成されている切欠内に、ブラケット側に設けたネジ部材を挿入する際に、切欠部分が見えにくく、ブラケットをベースに沿わせながら切欠にネジ部材を合わせようとしても、切欠内にネジ部材を導きにくく、センサーユニットの取付作業がしにくいという問題点があった。
【課題を解決するための手段】
【０００５】
本発明は、センサーユニットの取付作業の作業性が向上し、容易に取り付けできる前パネルへのセンサーユニットの取付構造の提供を目的とし、この目的の少なくとも一部を達成するために以下の手段を採った。
本発明は、前面に便器が取り付けられる前パネルを備えた便器ユニットにおける前記便器の上方にセンサーを配置するに際し、前記前パネルに固定されたベースに、センサーユニットに固設されたブラケットを取り付けて前記前パネルに前記センサーユニットを取り付ける構造であって、
前記ベースの左右両側には、前記ブラケットに設けられた係止部が挿入される切欠を有する側板が備えられ、
該側板における切欠の下部には、該切欠の上部よりも延びた前記係止部案内用の案内突部が形成されている
ことを要旨とする。
【発明の効果】
【０００６】
ベースの左右両側の側板には、切欠の下部に案内突部が形成されているため、前パネルに固定されたベースに沿わせて、センサーユニットに固設されたブラケットを下方にずらしてゆくと、ブラケットの係止部が案内突部にぶつかり、係止部が案内突部にぶつかった時には係止部が切欠の入口に配置されるため、容易に係止部を切欠内に挿入して、ベースにブラケットを容易に取り付けることができ、便器ユニットにおける前パネルへのセンサーユニットの取付作業が容易なものとなる。
【０００７】
また、本発明の前パネルへのセンサーユニットの取付構造において、前記係止部はネジ部材で構成されているとともに、前記切欠は、後端が開放されて前側へ延びる挿入部と、該挿入部の前端側で下方に延びる収納部を有し、収納部の上下寸法はネジ部材の径寸法と略同一寸法に設定されているものとすることもできる。
こうすれば、ブラケットのネジ部材を、切欠の挿入部へ入れて前側へ移動させると、ネジ部材は切欠の収納部内に収まるため、収納部に収まった状態では前後方向の移動が規制されてズレが生じない状態となる。また、収納部の上下寸法はネジ部材の径寸法と略同一寸法に設定されているため、ネジ部材が収納部内で上下方向に移動する距離が短く、収納部内への収納位置で傾いて取り付けられたりすることがない。
【０００８】
また、本発明の前パネルへのセンサーユニットの取付構造において、前記ベースには、前記センサーユニットとの間で押し潰されて該センサーユニットの送受信部の周囲を包囲できるスポンジが設けられているものとすることもできる。
こうすれば、センサーユニットの取り付け時に、スポンジがセンサーユニットとベースとの間の隙間を埋めるように押し潰されて、センサーユニットの送受信部の周囲をスポンジで良好に包囲することができ、これにより、送受信部に埃等が入り込むのを良好に防げるものとなる。
【図面の簡単な説明】
【０００９】
【図１】小便器ユニットの外観斜視図である。
【図２】小便器ユニットの正面構成図である。
【図３】小便器ユニットの側面一部断面構成図である。
【図４】小便器ユニットの前パネルの裏側にセンサーユニットを取り付ける前の要部拡大分解側面図である。
【図５】前パネルに固定されるベースの裏側から見た拡大斜視構成図である。
【図６】センサーユニットにブラケットを取り付けた状態の前側から見た拡大斜視構成図である。
【図７】図５のベースに図６のブラケットを取り付けた状態の裏側から見た拡大斜視図である。
【図８】センサーユニットの取付状態の要部縦断面拡大構成図である。
【図９】ベースの側板に形成された切欠の変更例を示す要部拡大構成図である。
【図１０】ベースの側板に形成された切欠のさらに異なる変更例を示す要部拡大構成図である。
【発明を実施するための形態】
【００１０】
次に、本発明を実施するための形態を実施例を用いて説明する。
図１は、小便器ユニットの設置状態の斜視構成図であり、図２は、小便器ユニットの設置状態の正面図であり、図３は、小便器ユニットの設置状態の側面一部断面構成図である。
【００１１】
小便器ユニット１は、フレーム２がトイレの壁面に取り付けられ、フレーム２の前面には、中央前パネル３と、左右側に左および右側の前パネル４，５が取り付けられ、中央前パネル３の前面に小便器６が取り付け固定されるものである。また、フレーム２の上面には天板７が設けられる。この天板７の下方側の小便器６の上方の中央前パネル３の上部部位にはセンサー窓３ａが開口されており、このセンサー窓３ａの裏側に人体検知用のセンサーユニット８が取り付けられる。
【００１２】
このセンサーユニット８の取り付け部位では、図４に要部拡大分解図で示すように、中央前パネル３のセンサー窓３ａの裏側にベース１４が固設され、一方、センサーユニット８にはブラケット１０が予め取り付けられて、このブラケット１０をベース１４に取り付けることで、中央前パネル３のセンサー窓３ａの裏側にセンサーユニット８が取り付けられる。
【００１３】
図５には、後方側から見たベース１４の拡大斜視図を示し、また、図６には、センサーユニット８に取り付けられたブラケット１０の前側から見た拡大斜視図を示す。
ベース１４は、平板状の固定片１４ａに、センサー窓３ａと整合するセンサー用開口１４ｄが開口形成され、固定片１４ａの左右側には、後方側へ９０°折り曲げて左右の側板１４ｂ，１４ｂが一体形成されており、この左右の側板１４ｂ，１４ｂには、それぞれ後端が開放されて前側へ延びる切欠１５，１５が形成されている。また、左右の側板１４ｂ，１４ｂの上端側には、ネジを通す通し孔１４ｃ，１４ｃが形成されている。
また、このベース１４のセンサー用開口１４ｄの裏側には、固定片１４ａに貼着等して窓枠状のスポンジ１６が取り付けられている。
【００１４】
切欠１５は、図４に示すように、後端が開放されて前側へ略水平に延びる挿入部１５ａと、挿入部１５ａの前端側で下方へ延びる収納部１５ｂで逆Ｌ字状に形成されたものであり、この切欠１５の挿入部１５ａの後端には、挿入部１５ａの下端から連続して略水平に後方へ延びる案内突部１４ｅが側板１４ｂに形成されている。
即ち、この案内突部１４ｅは、切欠１５の挿入部１５ａの上端側よりも後方側へ延びて側板１４ｂに一体状に突出形成されている。
【００１５】
ブラケット１０は、平板状の当接片１０ｂに、前記スポンジ１６の外周よりも大きい開口１０ａが形成され、当接片１０ｂの左右側には、後方側へ９０°折り曲げて折曲片１０ｃ，１０ｃが形成されており、この左右の折曲片１０ｃ，１０ｃには、それぞれ上端側と下端側に上ネジ孔１０ｄと下ネジ孔１０ｅが形成されている。
また、当接片１０ｂの上端側には、後方側へ略水平に延びて左右一対の上支持片１０ｆ，１０ｆが形成され、各上支持片１０ｆ，１０ｆの後端には、垂下状に折り曲げて上ネジ片１０ｇ，１０ｇが一体形成されており、各上ネジ片１０ｇ，１０ｇにはネジ孔１０ｈ，１０ｈが形成されている。
また、当接片１０ｂの下端側にも、後方側へ短く延びた左右一対の下支持片１０ｉ，１０ｉが形成され、各下支持片１０ｉ，１０ｉの後端から上方へ折り曲げて下ネジ片１０ｊ，１０ｊが形成され、各下ネジ片１０ｊ，１０ｊにはそれぞれネジ孔１０ｋ，１０ｋが形成されている。
【００１６】
このブラケット１０は、予めセンサーユニット８の前面側に４本の取付ネジ１１，１１，１１，１１で取り付けられるものである。
即ち、センサーユニット８の左右側壁の上下に突出状に形成された４個のネジ通し片８ａ，８ａ，８ａ，８ａに、それぞれ取付ネジ１１を後方側から通して、４本の取付ネジ１１のそれぞれの前端を、ブラケット１０のネジ孔１０ｈ，１０ｈおよび１０ｋ，１０ｋにそれぞれ締め付け、４本の取付ネジ１１，１１，１１，１１によりブラケット１０はセンサーユニット８の前面側に取り付け固定される。
このブラケット１０の取付状態では、センサーユニット８の前面の送受信部９ａの前方側にブラケットの開口１０ａが配置される。なお、送受信部９ａはセンサーユニット８内の感知部９の前面側の部分である。
【００１７】
このようにセンサーユニット８の前面に予めブラケット１０を取り付けておき、さらに、このブラケット１０の左右の下ネジ孔１０ｅ，１０ｅにそれぞれ側方より係止ネジ（ネジ部材）１２，１２を取り付けておく。各係止ネジ１２は、指で摘んで回すことのできる手回し部１２ａが形成されたものであり、手回し部１２ａを指で回してネジ部分を下ネジ孔１０ｅ，１０ｅにそれぞれねじ込んで取り付けておく。
【００１８】
なお、前記ベース１４は、予め中央前パネル３のセンサー窓３ａの裏側に固定片１４ａを貼着等で固定しておき、この中央前パネル３に固設されたベース１４に対し、裏側からセンサーユニット８に取り付けられたブラケット１０を取り付ける。
なお、ベース１４の裏側にブラケット１０を取り付けた状態を、図７に後方側から見た斜視図で示す。
【００１９】
フレーム２の前面に取り付けられた中央前パネル３のセンサー窓３ａの裏側に固設されたベース１４にブラケット１０を取り付けるには、フレーム２上面の天板７を取り外した状態で、後方側から、ベース１４の左右の切欠１５，１５内に、ブラケット１０に取り付けた左右の係止ネジ１２，１２を挿入させてゆき、ベース１４の左右の側板１４ｂ，１４ｂの内側にブラケット１０の左右の折曲片１０ｃ，１０ｃが配置されるようにして、ベース１４の固定片１４ａに対しブラケット１０の当接片１０ｂを当接させてゆく。
【００２０】
なお、本例では、ブラケット１０の係止ネジ１２を後方側から切欠１５内に挿入する際に、ベース１４に沿ってブラケット１０を下方へ降ろしてゆくと、案内突部１４ｅに係止ネジ１２がぶつかり、係止ネジ１２が案内突部１４ｅ上に自然に乗ることとなり、この状態では、係止ネジ１２は切欠１５の挿入部１５ａの後端の入口に自然に配置された状態となるため、この状態でブラケット１０を前側へ押すと、自然に係止ネジ１２は切欠の挿入部１５ａ内に挿入されてゆくこととなり、やがて、係止ネジ１２は収納部１５ｂ内に落とし込まれてゆく。この収納部１５ｂ内に係止ネジ１２が収まった状態では、前後方向へのブラケット１０の移動は規制されることとなり、ブラケット１０がずれることなく係止される。
【００２１】
なお、この収納部１５ｂの上下寸法は、係止ネジ１２のネジ部の外径寸法とほぼ同程度の寸法に設定されており、係止ネジ１２、即ちブラケット１０が必要以上に垂直方向へ移動することのないように設定されており、ブラケット１０の垂直方向への移動が少ないために、ブラケット１０をベース１４に取り付ける際にスポンジ１６の位置ズレが生じないものとなり、ベース１４にブラケット１０を取り付ける時に、スポンジ１６は、センサーユニット８の前面に当接して厚み方向に均一に押し潰されてゆき、ブラケット１０の取付状態では、図８に断面図で示すように、スポンジ１６でセンサーユニット８の前面とベース１４間の隙間を埋め、スポンジ１６がセンサーユニット８の送受信部９ａの周囲を包囲した状態となり、上方から埃等がセンサーユニット８の送受信部９ａに入り込むことが良好に防がれる。
【００２２】
このように、スポンジ１６をずれることなく厚み方向に押し潰しながらブラケット１０をベース１４に良好に取り付けることができ、取り付け時に、ブラケット１０をベース１４に沿わせて下方にずらすことで、ブラケット１０の係止ネジ１２がベースの側板１４ｂに形成した案内突部１４ｅ上に乗り、この状態でブラケット１０を前方に押せば良好に係止ネジ１２が切欠１５の挿入部１５ａ内に挿入されてゆくため、係止ネジ１２を切欠１５に位置合わせして容易に挿入することができ、ブラケット１０のベース１４への取付作業を極めて容易に行えるものとなる。
なお、ブラケット１０のベース１４への取付作業時に、上方から目視した場合においても、ベース１４の案内突部１４ｅは突出しているため確認しやすく、切欠１５の位置を目視でも良好に確認できるものとなり、さらに取付作業を容易に行うことができるものである。
【００２３】
このようにして係止ネジ１２を切欠１５の収納部１５ｂ内に配置させ、その後に係止ネジ１２を手回し部１２ａを回して締め付け、さらに、ベース１４の左右の通し孔１４ｃ，１４ｃにそれぞれ固定ネジ１３を通して、左右の固定ネジ１３，１３をブラケット１０の左右の上ネジ孔１０ｄ，１０ｄにそれぞれ締め付け、左右２個の係止ネジ１２，１２と左右２個の固定ネジ１３，１３でブラケット１０をベース１４に固定することができる。
【００２４】
なお、図９および図１０には切欠１５の変形例を示す。
即ち、図９および図１０は、ベース１４の側板１４ｂを拡大して示すものであり、図９では、案内突部１４ｅ側が開放されて前側へ水平に延びる挿入部１５ａの前端に、前側に向かって下傾状に収納部１５ｂを形成したものである。なお、この収納部１５ｂの上下寸法は短く、ブラケット１０の取り付け時にスポンジ１６にズレが生じない程度の上下寸法に設定されている。
【００２５】
また、図１０の切欠１５では、案内突部１４ｅ側が開放されて僅かに水平に前側へ延びる挿入部１５ａの前端側が前側に向かって下傾状に形成され、この下傾状に形成された挿入部１５ａの前端に、下向きの収納部１５ｂが形成されたものとなっている。
このような切欠１５においても、ブラケット１０の係止ネジ１２を案内突部１４ｅ上に乗せて、容易に係止ネジ１２を挿入部１５ａ内に挿入させてゆくことができ、前側へ押し込めば自然に収納部１５ｂ内に係止ネジ１２が収まり、係止ネジ１２の前後方向の移動が自然に規制されるものとなり、ブラケット１０がベース１４に対し前後方向にずれることなく取り付けられる。
なお、収納部１５ｂの上下寸法は係止ネジ１２の外径寸法とほぼ同程度に設定されており、収納部１５ｂ内に係止ネジ１２が落とし込まれる時にスポンジ１６の位置ズレが生じないように考慮されている。
【００２６】
なお、本例では、ブラケット１０に手回し式の係止ネジ１２を取り付けたものを例示しているが、この係止ネジ１２は蝶ネジであっても良く、また、係止ネジ１２に代えて、ブラケット１０の折曲片１０ｃから側方へ棒状に突出する係止部を形成させておき、この棒状の係止部をベース１４の切欠１５に挿入する構造であっても良い。
【符号の説明】
【００２７】
１  小便器ユニット
３  中央前パネル
３ａ  センサー窓
８  センサーユニット
９ａ  送受信部
１０  ブラケット
１０ａ  開口
１０ｂ  当接片
１０ｃ  折曲片
１０ｄ  上ネジ孔
１０ｅ  下ネジ孔
１０ｆ  上支持片
１０ｇ  上ネジ片
１０ｉ  下支持片
１０ｊ  下ネジ片
１０ｈ，１０ｋ  ネジ孔
１１  取付ネジ
１２  係止ネジ（ネジ部材）
１２ａ  手回し部
１３  固定ネジ
１４  ベース
１４ａ  固定片
１４ｂ  側板
１４ｃ  通し孔
１４ｄ  センサー用開口
１４ｅ  案内突部
１５  切欠
１５ａ  挿入部
１５ｂ  収納部
１６  スポンジ
【図１】
0005473712.tif 000002
【図２】
0005473712.tif 000003
【図３】
0005473712.tif 000004
【図４】
0005473712.tif 000005
【図５】
0005473712.tif 000006
【図６】
0005473712.tif 000007
【図７】
0005473712.tif 000008
【図８】
0005473712.tif 000009
【図９】
0005473712.tif 000010
【図１０】
0005473712.tif 000011